(57)【要約】【課題】ユーザーが任意の場所で実際の衣服を手に取ってサイズ合わせするのを可能にした衣服受注販売用移動式ボックスを実現する。【解決手段】内部に複数の衣服Ｃが収納されている箱体本体１と車輪２を備えて構成されている衣服受注販売用移動式ボックス１００は移動可能であるので、任意の場所まで移動させて設営し、その内部に収納されているサイズ違いの衣服Ｃを陳列してユーザーに試着させることができる。そして、ユーザーは、実際の衣服Ｃを手に取って試着するなどしてサイズ合わせすることができるので、所望するサイズの衣服を注文することができる。つまり、この衣服受注販売用移動式ボックス１００であれば、ユーザーが試着などによってサイズ確認した衣服を受注販売することが可能になる。【選択図】図１
2020178861.tif 000002
【特許請求の範囲】
【請求項１】
内部に複数の衣服が収納されている収納空間を有している第１の箱体と、前記収納空間を閉塞する状態と開放する状態とに切り替え可能に前記第１の箱体に連結されている第２の箱体とを有する箱体本体と、
前記箱体本体に設けられ、その箱体本体を移動可能にする車輪と、
を備えた衣服受注販売用移動式ボックスであって、
前記複数の衣服はサイズ違いの衣服であり、前記収納空間に試着可能に収納されていることを特徴とする衣服受注販売用移動式ボックス。
【請求項２】
前記箱体本体には、前記収納空間を閉塞した状態を維持するように、前記第１の箱体と前記第２の箱体を閉じて合わせた状態でロックするロック手段が設けられており、
前記ロック手段は、予めユーザーに付与されている認証情報に基づきロックが解錠されるように構成されていることを特徴とする請求項１に記載の衣服受注販売用移動式ボックス。
【請求項３】
前記箱体本体には、前記収納空間が開放された状態で使用可能となる生地見本帳が備え付けられていることを特徴とする請求項１又は２に記載の衣服受注販売用移動式ボックス。
【請求項４】
前記箱体本体には、前記収納空間が開放された状態で使用可能となる手順書が配設されており、
前記手順書には、前記収納空間に試着可能に収納されている前記衣服をユーザーがカスタマイズするための手順がピクトグラムを用いて記されていることを特徴とする請求項１〜３のいずれか一項に記載の衣服受注販売用移動式ボックス。
【請求項５】
前記箱体本体には、前記収納空間が開放された状態で使用可能となる姿見鏡が配設されており、
前記姿見鏡には、その姿見鏡に映り込んだユーザーのウエスト高さまたは股下寸法を計測するためのスケールが設けられていることを特徴とする請求項１〜４のいずれか一項に記載の衣服受注販売用移動式ボックス。
【発明の詳細な説明】
【技術分野】
【０００１】
本発明は、任意の場所に設置して衣服を受注販売するのに用いる衣服受注販売用移動式ボックスに関する。
【背景技術】
【０００２】
従来、インターネットを利用して衣服を販売する衣服販売システムにおいて、予めユーザーの身体サイズを登録しておくことで、ユーザーの体形に合わせた仮想試着をディスプレイ上で行うことを可能にした技術が知られている（例えば、特許文献１参照。）。
これまでの衣服販売システムでは、衣服を着用したモデルの写真をもとに、ユーザーが衣服を選んで購入していたため、配送された商品を実際に着用したときの印象が異なるといった理由で返品されてしまうことがあったが、仮想試着を可能にしたことで、そのような返品理由を生じ難くしている。
【先行技術文献】
【特許文献】
【０００３】
【特許文献１】特開２００２−１９７３２５号公報
【発明の概要】
【発明が解決しようとする課題】
【０００４】
しかしながら、上記特許文献１の技術は、あくまで仮想試着であるので、実際の衣服の素材感や着用時のサイズ感（着心地）は分からないままであった。
そのため、衣服の着心地を重視する利用者は、ワンサイズ上にするか下にするかと迷うような場合に購入をためらうことがあり、機会損失を招いてしまうことがあった。
【０００５】
本発明の目的は、ユーザーが任意の場所で実際の衣服を手に取ってサイズ合わせするのを可能にした衣服受注販売用移動式ボックスを提供することである。
【課題を解決するための手段】
【０００６】
上記目的を達成するため、この発明は、
内部に複数の衣服が収納されている収納空間を有している第１の箱体と、前記収納空間を閉塞する状態と開放する状態とに切り替え可能に前記第１の箱体に連結されている第２の箱体とを有する箱体本体と、
前記箱体本体に設けられ、その箱体本体を移動可能にする車輪と、
を備えた衣服受注販売用移動式ボックスであって、
前記複数の衣服はサイズ違いの衣服であり、前記収納空間に試着可能に収納されているようにした。
【０００７】
かかる構成の衣服受注販売用移動式ボックスは移動可能であるので、任意の場所まで移動させて設営し、その内部に収納されているサイズ違いの衣服を陳列してユーザーに試着させることができる。そして、ユーザーは、実際の衣服を手に取って試着するなどしてサイズ合わせすることができるので、所望するサイズの衣服を注文することができる。
つまり、この衣服受注販売用移動式ボックスであれば、ユーザーがサイズ確認した衣服を受注販売することが可能になる。
【０００８】
このように、衣服受注販売用移動式ボックスは移動可能であり、任意の場所まで移動させて、その衣服受注販売用移動式ボックスを設営することができるので、例えば、ユーザーが立ち寄りやすい駅のイベントスペースなどに設営すれば、実店舗へ出向く時間が取り難いというユーザーに向けた販売促進が可能になる。加えて、ユーザーにとっては通勤途中などに利用して衣服を購入し易くなるというメリットがある。
また、実店舗が出店されていない地域の商業施設の一角に衣服受注販売用移動式ボックスを設営すれば、実店舗へ出向き難い地域に居住のユーザーに向けた販売促進が可能になる。加えて、そのような地域に居住のユーザーにとっては所望する衣服を購入し易くなるというメリットがある。
【０００９】
また、望ましくは、
前記箱体本体には、前記収納空間を閉塞した状態を維持するように、前記第１の箱体と前記第２の箱体を閉じて合わせた状態でロックするロック手段が設けられており、
前記ロック手段は、予めユーザーに付与されている認証情報に基づきロックが解錠されるように構成されているようにする。
【００１０】
例えば、ロック手段が電子錠であり、予めユーザーに付与されている認証情報（例えば、予めユーザーに貸与されているＩＣカードに格納されている認証情報）に基づき、ユーザーがロック手段を解錠するようにすれば、店舗管理者が不在であっても、ユーザーが衣服受注販売用移動式ボックスを開放して使用することができる。なお、ユーザーは予め店舗管理者との間で使用契約を結んでユーザー登録を済ませているものとする。
こうすることで、店舗管理者が不在時にもユーザーが衣服受注販売用移動式ボックスを使用して衣服を注文することが可能になり、衣服を受注販売することができる。
このように衣服受注販売用移動式ボックスを運用することができれば、店舗管理にかかるコストを低減することが可能になる。
【００１１】
また、望ましくは、
前記箱体本体には、前記収納空間が開放された状態で使用可能となる生地見本帳が備え付けられているようにする。
【００１２】
設営された衣服受注販売用移動式ボックスにて陳列されている衣服の生地ではなく、生地見本帳の中にユーザーが所望する生地があった場合、ユーザーは所望する生地でカスタマイズした衣服を注文することができ、ユーザーが所望する生地でカスタマイズした衣服を受注販売することができる。
【００１３】
また、望ましくは、
前記箱体本体には、前記収納空間が開放された状態で使用可能となる手順書が配設されており、
前記手順書には、前記収納空間に試着可能に収納されている前記衣服をユーザーがカスタマイズするための手順がピクトグラムを用いて記されているようにする。
【００１４】
例えば、衣服の袖丈や胴回り、ウエストや裾丈を調整するなどして、衣服をユーザーがカスタマイズするための手順がピクトグラムを用いて分かり易く記されていれば、誰でも好適に衣服のサイズ合わせを行って、自身の体形にカスタマイズした衣服を注文することができ、ユーザーの体形にカスタマイズした衣服を受注販売することができる。
【００１５】
また、望ましくは、
前記箱体本体には、前記収納空間が開放された状態で使用可能となる姿見鏡が配設されており、
前記姿見鏡には、その姿見鏡に映り込んだユーザーのウエスト高さまたは股下寸法を計測するためのスケールが設けられているようにする。
【００１６】
姿見鏡に映り込んだユーザーのウエスト高さまたは股下寸法を計測するためのスケールが設けられていれば、一人では測り難いウエスト高さや股下寸法を計測することができる。
【発明の効果】
【００１７】
本発明によれば、ユーザーが任意の場所で実際の衣服を手に取ってサイズ合わせするのを可能にした衣服受注販売用移動式ボックスが得られる。
【図面の簡単な説明】
【００１８】
【図１】本実施形態の衣服受注販売用移動式ボックスが開かれて設営された態様を示す斜視図である。
【図２】衣服受注販売用移動式ボックスが閉じられた態様を示す斜視図（ａ）（ｂ）である。
【図３】衣服受注販売用移動式ボックスの設営手順に関する説明図（斜視図）である。
【図４】衣服受注販売用移動式ボックスの設営手順に関する説明図（斜視図）である。
【図５】衣服受注販売用移動式ボックスにおける衣服のサイズ合わせに関する手順書を示す拡大図である。
【発明を実施するための形態】
【００１９】
以下、図面を参照して、本発明に係る衣服受注販売用移動式ボックスの実施形態について詳細に説明する。但し、以下に述べる実施形態には、本発明を実施するために技術的に好ましい種々の限定が付されているが、本発明の範囲を以下の実施形態及び図示例に限定するものではない。
衣服受注販売用移動式ボックスは、任意の場所に設置して衣服を受注販売するのに用いる移動式の衣装収納箱であり、試着用の衣服であって、サイズ違いの複数の衣服を収納している。
【００２０】
本実施形態の衣服受注販売用移動式ボックス１００は、例えば、図１〜図４に示すように、内部に複数の衣服Ｃが収納されている収納空間Ｓを有している第１の箱体１０と、収納空間Ｓを閉塞する状態と開放する状態とに切り替え可能に第１の箱体１０に連結されている第２の箱体２０とを有する箱体本体１と、箱体本体１の底部に設けられ、その箱体本体１を移動可能にする車輪２等を備えている。
この衣服受注販売用移動式ボックス１００に収納されている複数の衣服Ｃはサイズ違いの衣服であり、収納空間Ｓに試着可能に収納されている。
【００２１】
第１の箱体１０と第２の箱体２０は、図２（ｂ）に示すように、ヒンジ３を介して回動可能に連結されている。
また、第１の箱体１０と第２の箱体２０が連結されてなる箱体本体１には、図２（ａ）に示すように、収納空間Ｓを閉塞した状態を維持するように、第１の箱体１０と第２の箱体２０を閉じて合わせた状態でロックするロック手段４が設けられている。
また、箱体本体１（第１の箱体１０）の外面には、衣服受注販売用移動式ボックス１００を移動させる際に掴む把手部５が設けられている。
なお、図２（ａ）（ｂ）に示した、第１の箱体１０と第２の箱体２０を閉じて合わせた状態の衣服受注販売用移動式ボックス１００は、一般的なクローゼットやワードローブと同程度の大きさを有している。
【００２２】
衣服受注販売用移動式ボックス１００（箱体本体１）を移動可能にする車輪２は、箱体本体１に６個配設されている。具体的には、第１の箱体１０に４個の車輪２が配設され、第２の箱体２０に２個の車輪２が配設されている。
このように複数の車輪２が設けられているので、その車輪２を転動させるようにして、衣服受注販売用移動式ボックス１００を容易に移動させることができる。
また、第１の箱体１０と第２の箱体２０にそれぞれ車輪２が設けられていることで、衣服受注販売用移動式ボックス１００における収納空間Ｓを開放する状態に切り替える際に、第１の箱体１０や第２の箱体２０を回動させ易くなっている。
なお、衣服受注販売用移動式ボックス１００を設営した後、その位置から動かなくするために、幾つかの車輪２にはストッパーが付いている。
【００２３】
第１の箱体１０の内部には、略Ｔ字形状を呈するハンガーポール１１が配設されている。
図１に示すように、衣服受注販売用移動式ボックス１００が設営された状態では、ハンガーポール１１の横棒側に複数の衣服Ｃが掛けられて陳列されている。
このハンガーポール１１の横棒には、衣服Ｃのサイズ（４２(XS)，４４(S)，４６(M)，４８(L)，５０(XL)，５２(XXL)，５４(XXXL)）が記されているプレート１１ａが取り付けられており、そのプレート１１ａに記されているサイズに対応させて複数の衣服Ｃがサイズ別に掛けられている。
なお、サイズサンプルである複数の衣服Ｃには、そのサイズが識別可能にプリントされている。ここでは、７サイズ展開のスーツ衣料が陳列されている状態を例示している。
【００２４】
また、図１に示すように、第１の箱体１０には、収納空間Ｓが開放された状態で使用可能となる姿見鏡１２が配設されている。
姿見鏡１２には、その姿見鏡１２に映り込んだユーザーのウエスト高さまたは股下寸法を計測するためのスケール１３が設けられている。
【００２５】
第２の箱体２０には、収納空間Ｓが開放された状態で使用可能となる複数の生地見本帳２１が備え付けられている。
また、第２の箱体２０には、収納空間Ｓが開放された状態で使用可能となるサイズ合わせに関する手順書２２が配設されている。
また、第２の箱体２０には、収納空間Ｓが開放された状態で使用可能となる卓部２３が設けられている。卓部２３は、棚板２３ａを支持板２３ｂで支えるように組み立てられてなる。この卓部２３は、ユーザーの手荷物を置く荷台や、衣服の注文書を記入する際の作業台などとして使用される。なお、この卓部２３は、図３、図４に示すように、折り畳み可能である。
また、第２の箱体２０には、観音開き戸を有する収納棚２４が設けられている。収納棚２４には、店舗管理者が使用する物品や、ユーザーから申し込まれた衣服の注文書を回収するためのケースなどが収納されている。
【００２６】
次に、本実施形態の衣服受注販売用移動式ボックス１００を設営する手順について説明する。
【００２７】
まず、図２（ａ）（ｂ）に示すように、第１の箱体１０と第２の箱体２０が閉じ合わされている衣服受注販売用移動式ボックス１００を、店舗管理者が移動させて、所定の設営位置に設置する。
【００２８】
次いで、図３に示すように、ロック手段４を解除し、第１の箱体１０や第２の箱体２０を回動させて、衣服受注販売用移動式ボックス１００における収納空間Ｓを開放する状態に切り替える。
このとき、第１の箱体１０にヒンジを介して設けられている姿見鏡１２は、その鏡面を第１の箱体１０の内側に向けて配置されており、姿見鏡１２の鏡面に傷を付け難くしている。
【００２９】
なお、本実施形態の衣服受注販売用移動式ボックス１００には、３つのロック手段４が設けられているが、そのロック手段４の少なくとも１つが所定の認証情報に基づきロックが解錠されるように構成されていることが好ましい。
例えば、ロック手段４の少なくとも１つが電子錠であり、認証情報が格納されているＩＣカードなどを用いて、店舗管理者がロック手段４を解錠するようにすれば、店舗管理者の不在時に衣服受注販売用移動式ボックス１００が開放されることはなく、内部に収納されている衣服Ｃなどが持ち去られるといったトラブルを防ぐことができる。
【００３０】
次いで、図４に示すように、第１の箱体１０にヒンジを介して回動可能に設けられている姿見鏡１２を回動させて開く。
このとき、複数の衣服Ｃはハンガーポール１１の縦棒に掛けられているので、ハンガーポール１１の横棒に取り付けられているプレート１１ａに対応させて、複数の衣服Ｃをサイズ別に並べて掛けて陳列する。
また、このとき、卓部２３は畳まれているので、第２の箱体２０にヒンジを介して設けられている棚板２３ａを略水平に起こし、その棚板２３ａを下支えするように支持板２３ｂを配置させるようにして卓部２３を組み立てる。
こうして、図１に示すように、複数の衣服Ｃが陳列された衣服受注販売用移動式ボックス１００を設営することができる。
【００３１】
なお、図４に示すように、複数の衣服Ｃをハンガーポール１１の縦棒に掛けるようにすることで、複数の衣服Ｃを衣服受注販売用移動式ボックス１００の収納空間Ｓに効率よく収納することができ、第１の箱体１０と第２の箱体２０を閉じ合わせることができるので、衣服受注販売用移動式ボックス１００を閉じて移動させる際には、複数の衣服Ｃをハンガーポール１１の縦棒に掛けるようにする。
【００３２】
このように設営された衣服受注販売用移動式ボックス１００に陳列されている複数の衣服Ｃから、任意のサイズの衣服Ｃをユーザーは手に取って試着することができる。
そして、ユーザーは、図５に示したような、衣服Ｃのサイズ合わせに関する手順書２２に従って、自身の体形にカスタマイズした衣服を注文することができる。本実施形態の手順書２２には、８つの手順（手順１〜８）がピクトグラムを用いて記されている。
特に、衣服受注販売用移動式ボックス１００に陳列されているサイズサンプルの衣服Ｃには、寸法測定用の各種目盛りが付されているので、ユーザー自身がその目盛りを読み取るように寸法測定を行って、自身の体形にカスタマイズした衣服を注文するようになっている。
【００３３】
例えば、スーツの上着には、袖丈を調整するための目盛り（図５に示した手順書２２の「手順２」参照）と、胴回りを調整するための目盛り（図５に示した手順書２２の「手順３」参照）が付いているので、サイズサンプルの衣服Ｃを試着して、ユーザーは好みの寸法を読み取る。
また、スーツの上着の着丈（図５に示した手順書２２の「手順４」参照）は、衣服Ｃを試着した自身を姿見鏡１２に映して確認する。
【００３４】
また、スーツのパンツには、ウエストを調整するための目盛り（図５に示した手順書２２の「手順６」参照）と、裾丈を調整するための目盛り（図５に示した手順書２２の「手順７」参照）が付いているので、サイズサンプルの衣服Ｃを試着して、ユーザーは好みの寸法を読み取る。
なお、スーツのパンツの股下の寸法については、衣服Ｃを試着した自身を姿見鏡１２に映し、その姿見鏡１２のスケール１３を用いて確認するようにしてもよい。
【００３５】
このように、衣服Ｃのサイズ合わせに関する手順書２２には、衣服をユーザーがカスタマイズするための手順がピクトグラムを用いて記されており、分かり易く説明されているので、誰でも好適に衣服Ｃのサイズ合わせを行って、自身の体形にカスタマイズした衣服の注文が可能になる。
また、衣服受注販売用移動式ボックス１００（第２の箱体２０）には、複数の生地見本帳２１が備え付けられているので、サイズサンプルの衣服Ｃとは異なる生地を生地見本帳２１から選んで、その生地の衣服を注文することができる。
【００３６】
そして、このような手順に従って、ユーザーは衣服Ｃのサイズや生地を選ぶとともに、各種寸法合わせ（各種寸法測定）を行って、自身の体形にカスタマイズした衣服を注文することができる。
具体的には、ユーザーは所定の注文書に、衣服のサイズ、生地、測定した各種寸法およびユーザー情報を記入して、その注文書を店舗管理者に渡すなどして、その注文を行うことができる。
なお、衣服の注文は紙媒体を使ったものに限らず、タブレット端末などを使ってインターネット経由でネットショップに対して注文を行うようにしてもよい。
【００３７】
以上のように、本実施形態の衣服受注販売用移動式ボックス１００は移動可能であり、任意の場所まで移動させて、その衣服受注販売用移動式ボックス１００を設営して衣服を受注販売することができる。
例えば、ユーザーが立ち寄りやすい駅のイベントスペースなどに衣服受注販売用移動式ボックス１００を設営すれば、実店舗へ出向く時間が取り難いというユーザーに向けた販売促進が可能になる。加えて、ユーザーにとっては通勤途中などに利用して衣服を購入し易くなるというメリットがある。
また、実店舗が出店されていない地域や実店舗の出店計画のない地域の商業施設の一角に期間限定で衣服受注販売用移動式ボックス１００を設営すれば、実店舗へ出向き難い地域に居住のユーザーに向けた販売促進が可能になる。加えて、そのような地域に居住のユーザーにとっては所望する衣服を購入し易くなるというメリットがある。
【００３８】
特に、この衣服受注販売用移動式ボックス１００は、ユーザーがサイズサンプルの衣服Ｃを試着するなどして、ユーザーの体形にカスタマイズした衣服を受注販売するものであるので、ユーザーは購入前に任意の場所で実際の衣服を手に取ってサイズ合わせすることができ、実際の衣服の素材感やサイズ感（着心地）を確認したうえで、衣服の購入を行うことができる。
また、この衣服受注販売用移動式ボックス１００は、収納している試着用の衣服Ｃを陳列して衣服を受注販売するものであり、単なる衣服の移動販売ではないので、店舗管理者にとっては一商品あたりサイズ毎に素材別や色別の商品を揃えた膨大な衣服を運搬しなくても済むメリットがある。
【００３９】
また、閉じられた状態の衣服受注販売用移動式ボックス１００は、例えば、縦１００ｃｍ×横１００ｃｍ×高さ２００ｃｍ程度の大きさであり、一般的なクローゼットやワードローブと同程度の大きさであるので、衣服受注販売用移動式ボックス１００を設営するスペースは、３メートル四方もあればよい。
つまり、実店舗を構えるようなスペースはなくても、３メートル四方程度のスペースがあれば、衣服受注販売用移動式ボックス１００を設営することができるので、様々な場所に衣服受注販売用移動式ボックス１００を設置して衣服を受注販売することができる。
例えば、カフェなど他業種の店舗の一角に衣服受注販売用移動式ボックス１００を設営して衣服を受注販売することが可能になる。
【００４０】
なお、本発明は上記実施形態に限られるものではない。
例えば、ロック手段４の少なくとも１つが電子錠であり、予めユーザーに付与されている認証情報（例えば、予めユーザーに貸与されているＩＣカードに格納されている認証情報）に基づき、ユーザーがロック手段４を解錠するようにすれば、店舗管理者が不在であっても、ユーザーが衣服受注販売用移動式ボックス１００を開放して使用することができる。
この場合、ユーザーは予め店舗管理者との間で使用契約を結んでユーザー登録を済ませている。こうすることで、店舗管理者が不在時にもユーザーが衣服受注販売用移動式ボックス１００を使用することが可能になる。
つまり、ロック手段４によって閉じられている衣服受注販売用移動式ボックス１００を店舗管理者が所定の設営位置に設置しておけば、ユーザーは都合の良い時間帯に設営位置に出向いて、衣服受注販売用移動式ボックス１００を使用して、衣服Ｃのサイズ合わせを行って、ユーザーがカスタマイズした衣服を注文することができる。
勿論、ユーザーが衣服受注販売用移動式ボックス１００を使用した後は、第１の箱体１０と第２の箱体２０を閉じ合わせてロック手段４によって施錠しておく。
このように衣服受注販売用移動式ボックス１００を運用することができれば、店舗管理にかかるコストを低減することが可能になる。
【００４１】
なお、本発明の適用は上述した実施形態に限定されることなく、本発明の趣旨を逸脱しない範囲で適宜変更可能である。
【符号の説明】
【００４２】
１      箱体本体
２      車輪
３      ヒンジ
４      ロック手段
５      把手部
１０    第１の箱体
１１    ハンガーポール
１２    姿見鏡
１３    スケール
２０    第２の箱体
２１    生地見本帳
２２    手順書
２３    卓部
２４    収納棚
１００  衣服受注販売用移動式ボックス
Ｓ      収納空間
Ｃ      衣服
【図１】
2020178861.tif 000003
【図２】
2020178861.tif 000004
【図３】
2020178861.tif 000005
【図４】
2020178861.tif 000006
【図５】
2020178861.tif 000007